(57)【要約】      （修正有）【課題】高輝度画素数の割合が、トリミング後の映像でどの程度になるか簡単に把握することができなかったので、ＨＤＲガイドライン適合性を容易に識別可能な表示装置を提供する。【解決手段】表示装置１００は、表示画面上の領域を示す領域表示手段と、領域表示手段の領域の表示映像の輝度分布を算出する算出手段を有し、該算出手段の結果に応じて前記領域表示の形態を変更することで、トリミング後の映像の高輝度画素数の割合、あるいは平均輝度を容易に識別する。【選択図】図１
2019161331.tif 000002
【特許請求の範囲】
【請求項１】
表示画面上の領域を示す領域表示手段を有し、前記領域表示手段の領域の表示映像の輝度分布を算出する算出手段を有し、該算出手段の結果に応じて前記領域表示の形態を変更することを特徴とする表示装置。
【請求項２】
表示画面上の領域を示す領域表示手段を有し、前記領域表示手段の領域の表示映像の平均輝度を算出する算出手段を有し、該算出手段の結果に応じて前記領域表示の形態を変更することを特徴とする表示装置。
【請求項３】
請求項１または請求項２に記載の表示装置において、該算出手段の結果に応じて前記領域表示の表示色を変更することを特徴とする表示装置。
【請求項４】
請求項１または請求項２に記載の表示装置において、該算出手段の結果に応じて前記領域表示の線の太さを変更することを特徴とする表示装置。
【発明の詳細な説明】
【技術分野】
【０００１】
本発明は、映像表示装置及びその制御方法に関する。
【背景技術】
【０００２】
近年、ディスプレイの性能向上に伴い、ＨＤＲ（Ｈｉｇｈ Ｄｙｎａｍｉｃ Ｒａｎｇｅ）と呼ばれる高輝度表示が可能になってきた。ＨＤＲの規格としては、ＳＭＰＴＥ（Ｓｏｃｉｔｙ ｏｆ Ｍｏｔｉｏｎ Ｐｉｃｔｕｒｅ ａｎｄ Ｔｅｌｅｖｉｓｉｏｎ Ｅｎｇｉｎｅｅｒｓ）が提唱するＳＭＰＴＥ ＳＴ２０８４（以下、ＳＴ２０８４）がある。ＳＴ２０８４では、従来よりも高輝度の映像を扱うことができる。これまでデジタルシネマの規格として用いられてきたＤＣＩ（Ｄｉｇｉｔａｌ Ｃｉｎｅｍａ Ｉｎｉｔｉａｔｉｖｅｓ）の輝度は１００[nit]（１[nit]は１[cd/m2]と同意）であるが、ＳＴ２０８４の輝度は最大１０，０００[nit]である。
【０００３】
一方、ＨＤＲ１０と呼ばれる規格によると、表示装置の消費電力等を考慮し、「１，０００[nit]を超える領域は小さな面積に限定すること、平均が４００[nit]を超えないこと」がガイドライン（以下、ＨＤＲガイドライン）として規定されている。伴って、表示装置に対して、表示中の映像コンテンツがＨＤＲガイドラインを満たしていることを、ユーザが容易に識別できる機能が望まれている。
【０００４】
特許文献１には、デジタルカメラにおいて、撮像されている画像の画素毎の輝度レベルをカウントし、その輝度分布を示すヒストグラムを表示部上に表示するとともに、調整限界値となった場合にヒストグラムの表示色を変更する技術が開示されている。
【先行技術文献】
【特許文献】
【０００５】
【特許文献１】特許第４８４５１８２号
【発明の概要】
【発明が解決しようとする課題】
【０００６】
映像制作フローにおいて、例えば１６：９の映像を４：３の映像へ変換を行うことがある。このような場合、映像に対してトリミング処理が実施される。近年の表示装置では、トリミング後の映像確認を容易にするために、アスペクトマーカーを表示する機能を有しているものもある。
【０００７】
しかしながら、元の映像がＨＤＲガイドラインを満たしていても、トリミング後の映像がＨＤＲガイドラインを満たすとは限らない。特許文献１の技術を以ってしてもトリミング後の映像がＨＤＲガイドラインを満たしているか否かを識別することは困難であった。
【０００８】
本発明は、かかる課題に鑑みてなされたものであり、ＨＤＲガイドライン適合性を容易に識別可能な表示装置を提供することを目的とする。
【課題を解決するための手段】
【０００９】
表示画面上の領域を示す領域表示手段を有し、前記領域表示手段の領域の表示映像の輝度分布を算出する算出手段を有し、該算出手段の結果に応じて前記領域表示の形態を変更することを特徴とする。
【発明の効果】
【００１０】
本発明によれば、トリミング後の映像の高輝度画素数の割合、あるいは平均輝度を容易に識別可能となる。
【図面の簡単な説明】
【００１１】
【図１】本発明の実施例１に係る表示制御装置のブロック図である。
【図２】本発明の実施例１に係るアスペクトマーカーの表示の様子を示す図である。
【図３】本発明の実施例１に係る表示制御装置のフローチャートを示す図である。
【図４】本発明の実施例１に係る表示制御装置のブロック図である。
【図５】本発明の実施例１に係る表示制御装置のフローチャートを示す図である。
【図６】本発明の他の実施例に係るアスペクトマーカーの表示の様子を示す図である。
【発明を実施するための形態】
【００１２】
［実施例１］
以下に本発明の実施の形態について図面を用いて説明する。
【００１３】
図１は本発明を適用した表示装置１００のブロック図である。同図において、１０１は映像信号入力部、１０２は映像処理部、１０３はマーカー重畳部、１０４は表示部である。ここで表示部１０４は３８４０ｘ２１６０、すなわちアスペクト比１６：９の解像度であるものとする。１０５は輝度算出部、１０６は輝度面積比算出部、１０７はマーカー制御部である。
【００１４】
映像信号入力部１０１は、外部の映像機器から入力される映像信号を受信してシリアル-パラレル変換処理や同期分離処理を施し、映像データを映像処理部１０２および輝度算出部１０５へ出力する。
【００１５】
映像処理部１０２は、映像入力部１０１から入力される映像データに対して色域変換処理、エッジ強調処理等の画像処理を施してマーカー重畳部１０３へ出力する。マーカー重畳部１０３は、マーカー制御部１０７からの制御によりマーカー映像を合成する。表示部１０４は、マーカー重畳部１０３から出力される映像を表示する。
【００１６】
本実施例におけるマーカーは２８８０ｘ２１６０、すなわちアスペクト比４：３の領域を表すものとする。マーカーが表示されている時の表示部１０４の様子を図２に示す。同図における数値は、座標を示している。
【００１７】
輝度算出部１０５は、映像信号入力部１０１から入力される映像データの各輝度レベルの画素数を算出する。輝度算出部１０５は、マーカー制御部１０７より指定された領域内の輝度成分のヒストグラムを算出可能に構成されている。輝度面積比算出部１０６は、輝度算出部１０５の算出結果を基に、所定の輝度レベル以上の画素数の比率を算出する。ここでは１，０００[nit]以上の輝度レベルの比率を算出するものとする。
【００１８】
マーカー制御部１０７は、不図示のユーザ操作部を通じて入力されるユーザ操作に応じてマーカーの表示、消去制御を行う。また、輝度面積比算出部１０６の結果に応じて、マーカーの表示色を変更する制御を行う。
【００１９】
以下、本実施例における表示装置１００の動作を、図３のフローチャート図を用いて説明する。表示装置１００は、不図示のユーザ操作部を通じてマーカー表示状態となると、図３に示す処理を毎フレームごとに実行するよう構成されている。またマーカー表示状態では、輝度算出部１０５は、マーカー制御部１０７より｛（４８０、０）、（３３５９、２１５９）｝のマーカー内の領域が指定される。
【００２０】
ステップＳ１００において、輝度算出部１０５が指定された領域内、すなわちマーカー内の画像データの各輝度レベルの画素数を算出する。続いてステップＳ１１０において、輝度面積比算出部１０６において、１，０００[nit]以上の画素数の比率を算出する。そして、マーカー制御部１０７は１，０００[nit]以上の画素数の比率が、閾値（例えば５％）未満の場合はマーカーを通常色（例えば白色）で表示する（ステップＳ１２０）。また閾値以上の場合はマーカーを非通常色（例えば赤色）で表示する（ステップＳ１３０）。
【００２１】
以上の動作により、ユーザはマーカー色が通常色（白色）であるか、非通常色（赤色）であるかにより、高輝度画素数の割合を用意に識別可能となる。高輝度と識別する明るさと、その比率の閾値を適宜設定することにより、ＨＤＲガイドラインを満たしているか否かの確認が可能となる。
【００２２】
なお、ステップＳ１３０で、マーカーを非通常色（例えば赤色）で表示するとともに、警告メッセージを表示してもよい。また、ステップＳ１３０で、マーカーを非通常色（例えば赤色）で表示せずに、警告メッセージを表示してもよい。警告メッセージは、例えば、「ＨＤＲガイドラインを満たしていません」や「１，０００[nit]を超える領域の面積が大きすぎます」等であってもよい。
【００２３】
［実施例２］
以下に本発明の第２の実施の形態について図面を用いて説明する。第２の実施例に係る説明は、第１の実施例との相違点についてのみ説明する。第1の実施例と同一の構成には、第１の実施例と同一の符号を付与して表す。
【００２４】
図４は本発明を適用した表示装置２００のブロック図である。同図において、輝度算出部１０５および輝度面積比算出部１０６が、平均輝度算出部２０１に置き変わった点が第１の実施例と異なる。平均輝度算出部２０１は、映像信号入力部１０１から入力される映像データの平均輝度を算出する。マーカー制御部１０７より指定された領域内の平均輝度を算出可能に構成されている。該算出結果はマーカー制御部１０７へ出力する。
【００２５】
マーカー制御部１０７は、第１の実施例と同様に、不図示のユーザ操作部を通じて入力されるユーザ操作に応じてマーカーの表示、消去制御を行う。また、第２の実施例におけるマーカー制御部１０７は、平均輝度算出部２０１の結果に応じて、マーカーの表示色を変更する制御を行う。
【００２６】
以下、第２の実施例における表示装置２００の動作を、図５のフローチャート図を用いて説明する。
【００２７】
表示装置２００は、不図示のユーザ操作部を通じてマーカー表示状態となると、図５に示す処理を毎フレームごとに実行するよう構成されている。またマーカー表示状態では、平均輝度算出部２０１は、マーカー制御部１０７より｛（４８０、０）、（３３５９、２１５９）｝のマーカー内の領域が指定される。
【００２８】
ステップＳ２００において、平均輝度算出部２０１が指定された領域内、すなわちマーカー内の画像データの平均輝度を算出する。続いてＳ２１０において、マーカー制御部１０７が、平均輝度が、閾値（例えば４００[nit]）未満の場合はマーカーを通常色（例えば白色）で表示する（ステップＳ１２０）。また閾値以上の場合はマーカーを非通常色（例えば赤色）で表示する（ステップＳ１３０）。
【００２９】
以上の動作により、ユーザはマーカー色が通常色（白色）であるか、非通常色（赤色）であるかにより、マーカー内の平均輝度が閾値以上であるか否かを用意に識別可能となる。閾値を適宜設定することにより、ＨＤＲガイドラインを満たしているか否かの確認が可能となる。
【００３０】
なお、ステップＳ１３０で、マーカーを非通常色（例えば赤色）で表示するとともに、警告メッセージを表示してもよい。また、ステップＳ１３０で、マーカーを非通常色（例えば赤色）で表示せずに、警告メッセージを表示してもよい。警告メッセージは、例えば、「ＨＤＲガイドラインを満たしていません」や「平均輝度が４００[nit]を超えています」等であってもよい。
【００３１】
［他の実施例］
他の実施例として、マーカーが３８４０ｘ１６３４の領域（アスペクト比２．３５：１）を表すものとする。この場合のマーカーが表示されている時の表示部１０４の様子を図６に示す。同図における数値も座標を示している。この場合、マーカー表示状態では、輝度算出部１０５、あるいは平均輝度算出部２０１は、マーカー制御部１０７より｛（０、２６３）、（３８３９、１８９６）｝の領域が指定される。
【００３２】
その後、図３、あるいは図５のフローチャートの処理を実施することにより、実施例１、あるいは実施例２と同様に、閾値未満の場合はマーカーが通常色で表示され（ステップＳ１２０）、閾値以上の場合はマーカーが非通常色で表示され、（ステップＳ１３０）、実施例１と同様の効果が得られる。
【００３３】
また、実施例１において、輝度面積比算出部１０６は１，０００[nit]以上の画素数の比率を算出すると説明したが、５００[nit]以上の画素数の比率であっても、２，０００[nit]以上の画素数の比率であっても何ら本発明の主旨を曲げるものではない。また、画素数の比率が閾値以上と以下で、マーカーの表示色を変更するように構成したが、マーカーの太さを変える構成であってもよいことは言うまでもない。
【符号の説明】
【００３４】
１００  表示装置
１０１  映像信号入力部
１０２  映像処理部
１０３  マーカー重畳部
１０４  表示部
１０５  輝度算出部
１０６  輝度面積比算出部
１０７  マーカー制御部
２００  表示装置
２０１  平均輝度算出部
【図１】
2019161331.tif 000003
【図２】
2019161331.tif 000004
【図３】
2019161331.tif 000005
【図４】
2019161331.tif 000006
【図５】
2019161331.tif 000007
【図６】
2019161331.tif 000008